【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】 
【請求項１】 聴診信号を処理する方法であって、前記聴診信号は、複数の信号セグメントに分割され、該信号セグメントの各々は個別の持続時間を有し、正負いずれかの方向へのゼロ交差と同一の正負いずれかの方向への次のゼロ交差との間に延在し、前記信号セグメントは処理されて連続的な信号セグメントの出力信号となり、前記信号セグメントの処理は、信号セグメントの少なくとも１つが、前記出力信号において少なくとも一度繰り返されるように行われる方法において、 前記信号セグメントの各々の接続時間を分析し、該接続時間が５０ｍｓの制限を越える信号セグメントについては、その個別の接続時間の間のゼロ交差の数を増加させてこれらの信号セグメントをより短い接続時間を有するより多数の信号セグメントに変換するように処理し、聴診信号からのエコー認識 が減少することを特徴とする方法。
【請求項２】 請求項１に記載の聴診信号を処理する方法において、実質的に全ての前記信号セグメントの持続時間が前記５０ｍｓの制限未満になるまで、前記処理を反復することを特徴とする方法。
【請求項３】 請求項２に記載の聴診信号を処理する方法において、聴診信号が前記５０ｍｓの制限より長い接続時間を有する信号セグメントを包含しない場合には前記反復処理を終了することを特徴とする方法。
【請求項４】 請求項３に記載の聴診信号を処理する方法において、聴診信号が特定の回数濾波したときに 反復濾波を終了し、濾波処理終了を示す指示信号が提供されることを特徴とする方法。
【請求項５】 請求項２に記載の聴診信号を処理する方法において、前記接続時間が４０ｍｓ未満であることを特徴とする方法。
【請求項６】請求項１に記載の聴診信号を処理する方法において、前記処理が、実質的に全ての前記信号セグメントが前記５０ｍｓの制限未満になるまで、高域フィルタによって前記聴診信号を繰り返して前濾波することを特徴とする方法。
【請求項７】 請求項６に記載の聴診信号を処理する方法において、前記高域フィルタの逆振幅伝達関数に対応する伝達関数を有するフィルタによって、前記出力信号を繰り返して後濾波することを特徴とする方法。
【請求項８】請求項１に記載の聴診信号を処理する方法において、比較的短い持続時間を有する信号セグメントを共につなぎ合わせて、少なくとも３つのゼロ交差を含む整合的なセグメントを形成し、この整合的なセグメントは、少なくとも１度、繰り返されることを特徴とする方法。
【請求項９】 請求項１に記載の聴診信号を処理する方法において、出力信号の隣接信号セグメントの勾配が実質的に等しくなるように前記聴診信号を信号セグメントに分割し、前記隣接信号セグメントはレベル補償されることを特徴とする方法。
【請求項１０】 請求項１に記載の聴診信号を処理する方法において、前記信号の分割されたセグメントは、ウインドウ機能によって乗算または濾波され、前記隣接信号セグメント間の遷移が円滑となるようにすることを特徴とする方法。
【請求項１１】 請求項１に記載の聴診信号を処理する方法において、前記出力信号内の信号セグメントは時間的に逆転されることを特徴とする方法。
【請求項１２】 請求項１に記載の聴診信号を処理する方法において、前記出力信号内の信号セグメントは時間軸を中心として対称とすることを特徴とする方法。
【請求項１３】 請求項１に記載の聴診信号を処理する方法において、前記聴診信号を高域フィルタによって前濾波して、更なるゼロ交差が得られるようにすることを特徴とする方法。
【請求項１４】 聴診信号を処理するための装置であって、前記聴診信号を、複数の信号セグメントに分割するための信号処理ユニットが設けられ、該複数の信号セグメントは各々が個別の持続時間を有し、正負いずれかの方向へのゼロ交差と同一の正負いずれかの方向への次のゼロ交差との間に延在し、前記信号セグメントは処理されて連続的な信号セグメントの出力信号となり、前記信号セグメントの処理は、信号セグメントの少なくとも１つが、前記出力信号において少なくとも一度繰り返されるように行われ、さらに、前記信号処理ユニットは、前記信号セグメントの各々の接続時間を分析し、該接続時間が５０ｍｓの制限を越える信号セグメントについては、その個別の接続時間の間のゼロ交差の数を増加させてこれらの信号セグメントをより短い接続時間を有するより多数の信号セグメントに変換するように処理し、聴診信号からのエコー認識が減少することを特徴とする装置。
【請求項１５】 請求項１４に記載の装置において、前記信号処理ユニットは、実質的に全ての前記信号セグメントの持続時間が前記５０ｍｓの制限未満になるまで処理を反復することを特徴とする装置。
【請求項１６】 請求項１５に記載の装置において、前記信号処理ユニットは、前記信号セグメントが前記５０ｍｓの制限より長い接続時間を有しない場合には前記 処理を中断することを特徴とする装置。
【請求項１７】 請求項１５に記載の装置において、前記制限は４０ｍｓ未満であることを特徴とする装置。
【請求項１８】 請求項１４に記載の装置において、前記装置は、信号セグメントの持続時間が前記５０ｍｓの制限未満になるまで前記聴診信号を繰り返して前濾波する高域フィルタを備えることを特徴とする装置。
【請求項１９】 請求項１８に記載の装置において、前記装置は、前記聴診信号を後濾波するために、前記高域フィルタの逆振幅伝達関数に対応する振幅伝達関数を有するフィルタを備えることを特徴とする装置。
【請求項２０】 請求項１８に記載の装置において、前記聴診信号を指定された回数だけ濾波したと共に前記濾波プロセスの終了を示す指示信号が供給された場合に、前記反復濾波手段を中断させることを特徴とする装置。
【請求項２１】 請求項１４に記載の装置において、前記信号処理ユニットは、出力信号の隣接信号セグメントの勾配が実質的に等しくなるように前記聴診信号を信号セグメントに分割し、前記隣接信号セグメントはレベル補償されることを特徴とする装置。
【請求項２２】 請求項１４に記載の装置において、前記信号処理ユニットは、前記信号の分割されたセグメントをウインドウ機能によって乗算または濾波して、前記隣接信号セグメント間の遷移が円滑となるようにすることを特徴とする装置。
【請求項２３】 請求項１４に記載の装置において、前記信号処理ユニットは、前記出力信号内の前記信号セグメントを時間的に逆転するための手段を備えることを特徴とする装置。
【請求項２４】 請求項１４に記載の装置において、前記信号処理ユニットは、前記出力信号内の前記信号セグメントを時間軸を中心として対称とすることを特徴とする装置。
【請求項２５】 請求項１４に記載の装置において、前記聴診信号を前濾波してより短い接続時間を有する、より多数の信号セグメントを得るための高域フィルタを備えることを特徴とする装置。
【請求項２６】 少なくとも１つの入力変換器と、少なくとも１つの出力変換器と信号処理ユニットとを有し、該信号処理ユニットが入力信号を、各々が個別の持続時間を有する複数の信号セグメントに時間的に分割し、前記信号セグメントは処理されて連続的な信号セグメントの出力信号となり、前記信号セグメントの処理は、信号セグメントの少なくとも１つが、前記出力信号において少なくとも一度繰り返されるように行われ、前記信号処理ユニットは、更に、前記聴診信号を処理して前記信号セグメントの各々の接続時間を分析し、該接続時間が５０ｍｓの制限を越える信号セグメントについては、その個別の接続時間の間のゼロ交差の数を増加させてこれらの信号セグメントをより短い接続時間を有するより多数の信号セグメントに変換するように処理し、聴診信号からのエコー認識を減少させ、前記少なくとも一つの出力トランスデューサが前記出力信号を再生することを特徴とする聴診器。